(57)【要約】【課題】ナビゲーション装置の施設名称検索において、検索した施設の詳細情報に関連する詳細情報へ容易に遷移するとともに、目的地に設定する等、所望の操作を実現するナビゲーション装置及びその制御方法を提供する。【解決手段】施設情報記憶部３１に、予め施設検索用の施設をそのジャンルごとに分け階層化して記憶させている。また、詳細情報記憶部３２には、予め施設の名称、アドレス及び施設紹介情報を含む詳細情報を記憶させるとともに、当該施設に関連する他の施設の詳細情報へ接続するため詳細情報ＩＤを記憶させている。詳細情報表示制御部３５は、詳細情報とともに他の施設の詳細情報ＩＤに紐付けられた他の施設名称を詳細情報記憶部３２から取得して、表示部７へ表示する。【選択図】図１
2008250383.tif 000002
【特許請求の範囲】
【請求項１】
施設検索用の施設をそのジャンルごとに分け階層化して記憶する施設情報記憶手段と、前記施設に関連する施設の名称、アドレス及び施設紹介情報を含む詳細情報を前記施設と紐付けして記憶する詳細情報記憶手段と、ユーザからのジャンルの選択を前記階層ごとに受付ける入力受付手段と、入力されるジャンルをもとに前記階層を辿って施設を特定する施設検索手段と、特定された施設の前記詳細情報の表示指示をユーザから受付け表示器へ表示する詳細情報表示手段と、を備えたナビゲーション装置において、
前記詳細情報記憶手段は、当該施設に関連する他の施設の詳細情報への接続情報を当該施設の詳細情報とともに記憶するものであり、
前記詳細情報表示手段は、当該施設の詳細情報とともに関連する前記他の施設の名称を表示器へ表示するものであり、
さらに、表示された前記他の施設に対応する他の施設の詳細情報への接続を受付ける接続受付手段と、
他の施設の詳細情報への接続を受付けた場合に、当該他の施設の詳細情報を前記表示器に表示する他詳細情報表示手段と、
を備えることを特徴とするナビゲーション装置。
【請求項２】
前記詳細情報記憶手段に記憶される他の施設とは、当該施設の詳細情報における施設説明文中に当該他の施設を指標する用語が含まれる施設であることを特徴とする請求項１記載のナビゲーション装置。
【請求項３】
前記詳細情報表示手段は、前記表示器へ前記他の施設名称を表示する際に、前記詳細情報とは別に表示項目を設けて表示し、
前記接続受付手段は、当該別に設けられた表示項目の選択により、他の施設の詳細情報への接続を受付けることを特徴とする請求項１又は２記載のナビゲーション装置。
【請求項４】
前記詳細情報表示手段は、前記表示器へ前記他の施設名称を表示する際に、前記詳細情報において他の施設を指標する用語を強調して表示し、
前記接続受付手段は、当該強調された他の施設を指標する用語の選択により、他の施設の詳細情報への接続を受付けることを特徴とする請求項２記載のナビゲーション装置。
【請求項５】
前記他詳細情報表示手段が、他の施設の詳細情報を前記表示器に表示した際に、前記他の施設を目的地としての指定を受付ける他施設目的地受付手段を備えたことを特徴とする請求項１〜４のいずれか１項に記載のナビゲーション装置。
【請求項６】
前記他詳細情報表示手段が、他の施設の詳細情報を前記表示器に表示した際に、前記他の施設を経由地としての指定を受付ける他施設経由地受付手段を備えたことを特徴とする請求項１〜５のいずれか１項に記載のナビゲーション装置。
【請求項７】
施設検索用の施設をそのジャンルごとに分け階層化して記憶する施設情報記憶処理と、前記施設に関連する施設の名称、アドレス及び施設紹介情報を含む詳細情報を前記施設と紐付けして記憶する詳細情報記憶処理と、ユーザからのジャンルの選択を前記階層ごとに受付ける入力受付処理と、入力されるジャンルをもとに前記階層を辿って施設を特定する施設検索処理と、特定された施設の前記詳細情報の表示指示をユーザから受付け表示器へ表示する詳細情報表示処理と、をコンピュータにより実行するナビゲーション装置の制御方法において、
前記詳細情報記憶処理は、当該施設に関連する他の施設の詳細情報への接続情報を当該施設の詳細情報とともに記憶するものであり、
前記詳細情報表示処理は、当該施設の詳細情報とともに関連する前記他の施設の名称を表示器へ表示するものであり、
さらに、表示された前記他の施設に対応する他の施設の詳細情報への接続を受付ける接続受付処理と、
他の施設の詳細情報への接続を受付けた場合に、当該他の施設の詳細情報を前記表示器に表示する他の詳細情報表示処理と、
を実行することを特徴とするナビゲーション装置の制御方法。
【請求項８】
前記詳細情報記憶処理に記憶される他の施設とは、当該施設の詳細情報における施設説明文中に当該他の施設を指標する用語が含まれる施設であることを特徴とする請求項７記載のナビゲーション装置の制御方法。
【請求項９】
前記詳細情報表示処理は、前記表示器へ前記他の施設名称を表示する際に、前記詳細情報とは別に表示項目を設けて表示し、
前記接続受付処理は、当該別に設けられた表示項目の選択により、他の施設の詳細情報への接続を受付けることを特徴とする請求項７記載のナビゲーション装置の制御方法。
【請求項１０】
前記詳細情報表示処理は、前記表示器へ前記他の施設名称を表示する際に、前記詳細情報において他の施設を指標する用語を強調して表示し、
前記接続受付処理は、当該強調された他の施設を指標する用語の選択により、他の施設の詳細情報への接続を受付けることを特徴とする請求項８記載のナビゲーション装置の制御方法。
【請求項１１】
前記他の詳細情報表示処理が、他の施設の詳細情報を前記表示器に表示した際に、前記他の施設を目的地としての指定を受付ける他施設目的地受付処理を実行することを特徴とする請求項７〜１０のいずれか１項に記載のナビゲーション装置の制御方法。
【請求項１２】
前記他の詳細情報表示処理が、他の施設の詳細情報を前記表示器に表示した際に、前記他の施設を経由地としての指定を受付ける他施設経由地受付処理を実行することを特徴とする請求項７〜１１のいずれか１項に記載のナビゲーション装置の制御方法。
【発明の詳細な説明】
【技術分野】
【０００１】
本発明は、地図上の施設と当該施設に関する施設情報の検索方法に改良を加えたナビゲーション装置及びその制御方法に関する。
【背景技術】
【０００２】
近年、情報処理技術の発達に伴ってナビゲーション装置が急速に普及している。ナビゲーション装置は、ＧＰＳなどで推定する自車位置を周辺地図上に画面表示し、施設検索などで指定される目的地への経路を計算し案内するものである。
【０００３】
最近のナビゲーション装置の施設検索では、様々な検索方法が用意されているが、最もポピュラーなものは施設名称検索で、これは典型的には、画面表示される５０音パネルにより、ユーザが探したい施設名称を入力すると、該当する施設がリスト表示される機能である。
【０００４】
しかし、近年では、施設検索用のデータが充実し施設件数１０００万件規模などに増大した結果、目的の施設を見つけにくいという問題があった。すなわち、豊富なデータゆえに施設の特定が難しくなり、検索結果のリストで施設件数が必要以上に多過ぎ、例えば検索で需要の多い有名施設が多数の無名な施設に埋もれて発見に苦労したり、リストでかなりの画面スクロール操作を余儀なくされる場合も多かった。例えば、「とうきょう」と入力しても東京が付く施設は無数にある。
【０００５】
この解決策として最近の製品で登場してきたのが「絞込み」や「並び替え」の機能である。これにより、施設リストの表示後に、ジャンルや地域などを指定して該当する施設のみに絞り込んだり、近い順や５０音順などに並び替えが可能であった（特許文献１参照）。
【特許文献１】特開２００６−１６２５１６号公報
【発明の開示】
【発明が解決しようとする課題】
【０００６】
ところで、上記のような施設検索においては、各検索方法で施設を一覧表示した後に、詳細情報を確認することができるものがある。一般的に、このような詳細情報には、住所や電話番号の他、施設によっては営業時間、駐車場の有無など施設を選択する時に役に立つ情報が記述されている。また、観光スポットなどでは、歴史上の出来事なども記述され、ガイドブックを兼ねた詳細情報を提供している。このような従来の詳細情報の表示画面例を図６及び図７に示す。
【０００７】
このような詳細情報には、場合によっては、当該詳細情報内に、他の周辺施設に関する情報を含む場合がある。例えば、図６又は図７の画面例に示すように、「安土城」詳細情報には、「本能寺」や「琵琶湖」に関する記載がある。このような場合、ユーザはこの「安土城」に関する詳細情報に含まれる他の施設情報に興味を持ち、その内容を閲覧したり、当該他の施設に立ち寄りたくなる場合がある。しかし、このような他の施設を立寄地や目的地に設定するには、詳細情報画面を中断し、施設の検索を最初からやり直さなければならなかった。
【０００８】
本発明は、上記のような従来技術の課題を解決するもので、その目的は、ナビゲーション装置の施設名称検索において、検索した施設の詳細情報に関連する詳細情報へ容易に遷移するとともに、目的地に設定する等、所望の操作を実現するナビゲーション装置及びその制御方法を提供することにある。
【課題を解決するための手段】
【０００９】
上記の目的を達成するため、請求項１の発明は、施設検索用の施設をそのジャンルごとに分け階層化して記憶する施設情報記憶手段と、前記施設に関連する施設の名称、アドレス及び施設紹介情報を含む詳細情報を前記施設と紐付けして記憶する詳細情報記憶手段と、ユーザからのジャンルの選択を前記階層ごとに受付ける入力受付手段と、入力されるジャンルをもとに前記階層を辿って施設を特定する施設検索手段と、特定された施設の前記詳細情報の表示指示をユーザから受付け表示器へ表示する詳細情報表示手段と、を備えたナビゲーション装置において、前記詳細情報記憶手段は、当該施設に関連する他の施設の詳細情報への接続情報を当該施設の詳細情報とともに記憶するものであり、前記詳細情報表示手段は、当該施設の詳細情報とともに関連する前記他の施設の名称を表示器へ表示するものであり、さらに、表示された前記他の施設に対応する他の施設の詳細情報への接続を受付ける接続受付手段と、他の施設の詳細情報への接続を受付けた場合に、当該他の施設の詳細情報を前記表示器に表示する他詳細情報表示手段と、を備えることを特徴とする。
【００１０】
なお、この発明は、請求項７に記載されたとおり、ナビゲーション装置の制御方法として捉えることも可能である。
【００１１】
以上のような態様では、施設の詳細情報に、当該施設に関連する他の施設の詳細情報への接続情報を含むようにし、当該施設の詳細情報の表示の際に、他の施設の詳細情報への接続を受付けることにより、検索した施設の詳細情報に関連する他の施設の詳細情報へ容易に遷移することができるようになる。すなわち、従来の施設検索では階層化されたデータにおいては、ユーザがある施設の詳細情報を閲覧した場合に、当該詳細情報に含まれる関連施設の詳細情報を閲覧したいと考えた場合、当該施設の詳細情報は階層データの最下層に位置するため、他の関連施設の詳細情報に移動するには、階層を一番上の層から再度辿る必要があったが、本発明では、最下層である当該施設の詳細情報から最下層の他の施設の詳細情報に接続することができる。
【００１２】
請求項２の発明は、請求項１記載の発明において、前記詳細情報記憶手段に記憶される他の施設とは、当該施設の詳細情報における施設説明文中に当該他の施設を指標する用語が含まれる施設であることを特徴とする。なお、この発明は、請求項８に記載されたとおり、ナビゲーション装置の制御方法として捉えることも可能である。
【００１３】
以上のような態様では、当該施設の関連施設として、当該施設の説明文に登場する施設を設定することにより、観光スポット等において、ユーザが説明文を参照して経路を決定する場合や、説明文から歴史上の関連施設を認識し経由地や目的地とした場合も想定され、このような状況に対応することが可能となる。
【００１４】
請求項３の発明は、請求項１又は２記載の発明において、前記詳細情報表示手段は、前記表示器へ前記他の施設名称を表示する際に、前記詳細情報とは別に表示項目を設けて表示し、前記接続受付手段は、当該別に設けられた表示項目の選択により、他の施設の詳細情報への接続を受付けることを特徴とする。なお、この発明は、請求項９に記載されたとおり、ナビゲーション装置の制御方法として捉えることも可能である。
【００１５】
以上のような態様では、当該施設に関連する施設の名称を、表示画面上に他の選択項目として表示することによって、ユーザが他の施設の詳細情報の閲覧を希望した場合に、その詳細情報への接続をスムースにできるようになり、利便性が高い。
【００１６】
請求項４の発明は、請求項２記載の発明において、前記詳細情報表示手段は、前記表示器へ前記他の施設名称を表示する際に、前記詳細情報において他の施設を指標する用語を強調して表示し、前記接続受付手段は、当該強調された他の施設を指標する用語の選択により、他の施設の詳細情報への接続を受付けることを特徴とする。なお、この発明は、請求項１０に記載されたとおり、ナビゲーション装置の制御方法として捉えることも可能である。
【００１７】
以上のような態様では、詳細情報において他の施設を指標する用語を強調して表示し、当該強調された他の施設を指標する用語の選択により他の施設の詳細情報への接続を受付けることにより、当該施設の説明文等に記載された他の施設名称をカーソル移動して選択することにより、他の施設の詳細情報へダイレクトに接続することができるようになり、シンプルで使い勝手の良いユーザインタフェースを提供することができる。
【００１８】
請求項５の発明は、請求項１〜４のいずれか１項に記載の発明において、前記他詳細情報表示手段が、他の施設の詳細情報を前記表示器に表示した際に、前記他の施設を目的地としての指定を受付ける他施設目的地受付手段を備えたことを特徴とする。なお、この発明は、請求項１１に記載されたとおり、ナビゲーション装置の制御方法として捉えることも可能である。
【００１９】
以上のような態様では、ユーザがある施設の詳細情報に関連した他の施設の詳細情報を閲覧した際に、他の施設の詳細情報に興味を持ち、その他の施設を目的地に設定したいと考えた場合、再度施設検索をやり直すことなく、そのままその他の施設を目的地とすることができるのでユーザが所望の操作を迂遠な処理を踏むことなくでき利便性が高い。
【００２０】
請求項６の発明は、請求項１〜５のいずれか１項に記載の発明において、前記他詳細情報表示手段が、他の施設の詳細情報を前記表示器に表示した際に、前記他の施設を経由地としての指定を受付ける他施設経由地受付手段を備えたことを特徴とする。なお、この発明は、請求項１２に記載されたとおり、ナビゲーション装置の制御方法として捉えることも可能である。
【００２１】
以上のような態様では、ユーザがある施設の詳細情報に関連した他の施設の詳細情報を閲覧した際に、他の施設の詳細情報に興味を持ち、ある施設を目的地に、その他の施設をその目的地に至るまでの経由地に設定したいと考えた場合、再度施設検索をやり直すことなく、そのままその他の施設を経由地とすることができるのでユーザが所望の操作を迂遠な処理を踏むことなくでき利便性が高い。
【発明の効果】
【００２２】
以上のように、本発明によれば、ナビゲーション装置の施設名称検索において、検索した施設の詳細情報に関連する詳細情報へ容易に遷移するとともに、目的地に設定する等、所望の操作を実現するナビゲーション装置及びその制御方法を提供することができる。
【発明を実施するための最良の形態】
【００２３】
次に、本発明を実施するための最良の実施形態について、図に沿って説明する。なお、背景技術や課題での説明と共通の前提事項は省略する。
【００２４】
［１．全体構成］
本実施形態は、目的地への経路を案内するナビゲーション装置（以下「本装置」と呼ぶ）を説明するもので、その制御方法、制御プログラムとしても把握可能であり、本装置の構成を図１に示す。
【００２５】
すなわち、１は、ＶＩＣＳ情報を取得する為のＦＭ多重受信及び処理部、２は、ＶＩＣＳ情報を取得する為のビーコン受信及び処理部である。３は、システム全体の制御を司るメインＣＰＵ（中央演算装置）及びその周辺回路であり、本装置各部の制御を含む情報処理を行う制御部である。メインメモリＭを構成する４は、メインプログラムをロードする為のダイナミックＲＡＭ（ＤＲＡＭ）、５は、メイン電源オフの間も設定などメモリ内容を保持するためのバッテリーバックアップ付スタティックＲＡＭ（ＳＲＡＭ）、６は、起動時等に制御部３よりアクセスされるＲＯＭである。
【００２６】
７は、地図などの情報を描画及び表示する表示部で、液晶表示パネルなどの表示画面を持つ。本発明では、タッチパネル機能を備えたディスプレイを用いる。８は、表示部７用に設けられたビデオＲＡＭ（ＶＲＡＭ）である。９は、ＴＶ（各種のテレビジョン放送）を受信する為のＴＶ受信及び処理部、１０は、イルミネーション（計器盤等の照明）・車速パルス・パーキング等の動作や状態を検出する車両情報取得部である。
【００２７】
１１は、データベース読みとりのためのＣＤ−ＲＯＭ、ＤＶＤ―ＲＯＭ、ＨＤＤなどの制御部で、道路地図データ（典型的には、経路探索用データや地図表示用データ）やその他の検索データや地図関連データなどを記録する地図データの外部記憶装置の役割を果たす。
【００２８】
１２は、情報や操作の入力を受付ける入力部で、タッチキーやタッチパネルなどからの入力を検出する制御装置であるが、入力部の構成や種類は自由で、表示部７の表示パネルと一体のタッチセンサのほか、周囲の操作スイッチ類、リモコンユニット、などを単独、又は自由に組み合わせて用いればよい。１３は、測位技術（例えば、ＧＰＳ、ジャイロ、地磁気センサ、加速度センサ、車速パルスなど）により、現在位置、方位、速度など自車の挙動に関する航法情報を得る測位部である。
【００２９】
また、制御部３は、所定の制御プログラムにより、以下のような機能・作用に対応する処理手段（図１に示す３０、３１…）を実現・実行する。なお、従来と共通のナビゲーション処理（例えば、現在位置の計算、経路計算など）は、本発明特有の要素ではないので、ナビゲーション部３０として示し、説明は省略する。
【００３０】
［２．処理の概要］
本装置では、施設情報記憶部３１に、予め施設検索用の施設をそのジャンルごとに分け階層化して記憶させている。また、詳細情報記憶部３２には、予め施設の名称、アドレス及び施設紹介情報を含む詳細情報を記憶させるとともに、当該施設に関連する他の施設の詳細情報へ接続するため詳細情報ＩＤを記憶させている。
【００３１】
そして、入力受付部３３が、ユーザからのジャンルの選択を各階層ごとに受付け、施設検索部３４は、入力されるジャンルをもとに階層を辿って施設を特定する。詳細情報表示制御部３５は、特定された施設の詳細情報を表示するためのボタンを画面上に表示するとともに、ユーザから詳細情報の表示指示を受け、表示部７へ表示する。ここまでは、従来のナビゲーション装置における施設検索処理と同様であり、例えば、図８に示す施設情報の画面階層構成例や、図６及び７に示す画面表示例によって実現可能な処理である。
【００３２】
本実施形態の装置は、図２に示すように、詳細情報記憶部３２に、格納した詳細情報として当該施設に関連する他の施設の詳細情報ＩＤを接続先詳細情報ＩＤとして記憶させたものである。また、詳細情報表示制御部３５は、図４（ａ）に示すように、詳細情報とともに他の施設の詳細情報ＩＤに紐付けられた他の施設名称を詳細情報記憶部３２から取得して、表示部７へ表示するものである。
【００３３】
次に、図４（ａ）の画面例において、表示された他の施設の詳細情報ＩＤに対応する他の施設名称が、ユーザにより選択されると、接続受付部３６がこれを受付け、当該他の施設の詳細情報へ接続する。これに基づいて、他詳細情報表示制御部３７は、図４（ｂ）に示すように、当該他の施設の詳細情報を表示部７に表示する。また、他詳細情報表示制御部３７は、このとき画面上に目的地又は経由地設定ボタンを表示しており、これをユーザが選択すると、他施設目的地受付部３９又は他施設経由地受付部３８が、当該他の施設を経由地又は目的地に設定する。
【００３４】
［３．詳細情報のデータ構成］
次に、以上のような処理に用いられる詳細情報のデータ構成例を詳しく説明する。図２に示すように、詳細情報記憶部３２に記憶された詳細情報は、詳細情報ＩＤとして紐付けられており、「施設名称」、「住所」、「電話番号」、「位置座標」、施設に関するガイド等の「説明文章」のほか、当該施設に関連する他の施設を「接続先」として他の施設の詳細情報ＩＤを複数備えている。この接続先の詳細情報ＩＤの数はいくつでもよいが本実施形態では２つとしている。接続先の詳細情報がない場合は、ＩＤに０を設定している。また、接続先詳細情報ＩＤ（２）が設定されている場合は、必ず接続先詳細情報ＩＤ（１）も設定されているものとする。つまり、接続先の詳細情報が１つの場合は、必ず接続先詳細情報ＩＤ（１）に設定されている。
【００３５】
当該施設に関連する他の施設とは、主として当該施設に関する「説明文章」中に登場する他の施設であり、または当該他の施設に近接する施設であったり、歴史上あるいは政治上関係のある施設であったり、あるいは、当該施設を訪れた人が必ず訪れる施設等、当該施設を検索したユーザが当該施設に対する経由地等に選択する可能性のある施設であれば、いかなる施設を選択あるいは紐付けしても構わない。ただし、いかに歴史上等の関連性があったとしても、距離が大きく離れていたり移動時間が多く掛かるような場合は好ましくない。また、本実施形態では、接続先となる他の施設を一例として２つとしているが、この数も任意ではある。この場合も、データベースの容量やユーザインタフェースの制約から、本実施形態で示す２つ程度が好ましい実施態様である。
【００３６】
［４．画面階層構成例］
上記の詳細情報記憶部３２に記憶された詳細情報が当該施設に関連する他の施設を「接続先」として他の施設の詳細情報ＩＤを備えた場合の、施設検索における画面階層構成例を図３に示す。
【００３７】
同図に示すように、本実施形態における施設検索の画面階層構成は、三階層構造になっており、第一カテゴリは「交通機関」、「遊ぶ・見る」、「食べる」、「泊まる」などの広い意味での分類であり、第二カテゴリは第一カテゴリを詳細に分類したものである。例えば、「交通機関」の第二カテゴリならば「駅」、「空港」、「フェリー」などになる。第三カテゴリは、第二カテゴリをさらに詳細に分類したものであり、「駅」の第三カテゴリならば「ＪＲ」、「私鉄」、「地下鉄」などになる。また、カテゴリ階層内の項目がない場合には階層を省略できる。例えば、図３の第二カテゴリである「神社・仏閣」の下の第三カテゴリの項目がない場合は、第三カテゴリを省略し、「神社・仏閣」を選択した後は施設階層に遷移する。
【００３８】
本実施形態の画面階層構成例では、施設階層である「安土城跡」等に対して、ＩＤを元に、詳細情報が紐付けられているが、この詳細情報に、上述のとおり、他の施設の詳細情報ＩＤが含まれている。
【００３９】
ここで、従来の画面階層構成では、図８示すように、詳細情報に他の施設の詳細情報ＩＤが含まれていないため、ユーザが検索した施設の詳細情報を読んで文章中の記述に載っている別の施設、例えば「本能寺」にも行ってみたいと思った場合に、ユーザは、再び「カテゴリから探す」、「見る・遊ぶ」、「神社・仏閣」と選択し、一覧表示される項目の中から「本能寺」を探さなければいけなかった。
【００４０】
これに対して、本実施形態では、施設階層である「安土城跡」等に対して、ＩＤを元に、他の施設の詳細情報が紐付けられているため、ユーザが「安土城跡」の説明文章から「本能寺」を選択すると、他詳細情報表示制御部３７が、詳細情報記憶部３２から当該「琵琶湖」のＩＤを手がかりに、当該他の施設の詳細情報を取得し、表示することができるとともに、他施設目的地受付部３９又は他施設経由地受付部３８の作用により、当該他の施設をそのまま目的地又は経由地として設定することができる。
【００４１】
［５．画面例を用いた具体的処理］
次に、画面例を用いて本実施形態の装置の処理を具体的に説明する。
【００４２】
ユーザが、図３に従い、入力部１２を介して「カテゴリから探す」、「見る・遊ぶ」、「観光ポイント」、「名所・旧跡」を順々に選択していくとすると、入力受付部３３がこれを受付け、施設検索部３４が、階層を辿って施設検索を行い、表示部７に図６に示す施設一覧画面が表示される。
【００４３】
このとき、図７に示すように、「安土城跡」等の施設名称の隣に、「詳細」ボタンが表示されている。この「詳細」ボタンが押下されると、詳細情報表示制御部３５が、詳細情報記憶部３２から詳細情報を読み出し、図４（ａ）に示す画面例を表示部７に表示する。このとき、詳細情報表示制御部３５は、「安土城跡」の詳細情報としての施設説明文中に含まれる他の施設に関して、その名称を表示し、入力受付部３３は、この他の施設の名称についての入力を受付ける。
【００４４】
ユーザが「安土城跡」の説明文章から、「琵琶湖」を選択すると、他詳細情報表示制御部３７は、詳細情報記憶部３２から当該「琵琶湖」の詳細情報ＩＤ５（図２参照）を手がかりに、当該他の施設である「琵琶湖」の詳細情報を取得し、表示する。
【００４５】
さらに、ユーザが「琵琶湖」の説明文章から「なぎさ公園」を選択すると、この「琵琶湖」の詳細情報に含まれる「なぎさ公園」には詳細情報ＩＤ８（図２参照）が割り付けられており、他詳細情報表示制御部３７は、詳細情報記憶部３２からこのＩＤを手がかりに、当該他の施設である「琵琶湖」の詳細情報を取得し、表示する。
【００４６】
また、図４（ａ）〜（ｃ）に示すように、詳細情報表示制御部３５又は他詳細情報表示制御部３７により表示された画面上には、目的地又は経由地設定ボタンが設けられており、この目的地又は経由地設定ボタンを押下されると、当該詳細情報の場合には、ナビゲーション部３０における目的地又は経由地設定部により、他の詳細情報の場合には、他施設目的地受付部３８又は他施設経由地受付部３９により、画面表示された当該施設又は他の施設が目的地又は経由地に設定されることとなる。
【００４７】
［６．詳細情報画面の表示フローチャート］
詳細情報の画面表示（図４（ａ）の表示態様）の流れを図５のフローチャートと図２のデータ構成を参照して説明する。
【００４８】
詳細情報表示制御部３５において、各施設から詳細情報を表示するためには、まず施設情報記憶部３１から各施設に割り付けられている詳細情報ＩＤを取得する（ＳＴＥＰ１）。次に詳細情報記憶部３２から詳細情報ＩＤに対応する詳細情報の項目を取得する（ＳＴＥＰ２）。ここで、図４（ａ）における接続先ボタン情報を初期化する（ＳＴＥＰ３）。
【００４９】
このとき、接続先の詳細情報ＩＤ（１）が設定されているかを当該ＩＤが０か否かにより判定する（ＳＴＥＰ４）。当該ＩＤが０の場合は（ＮＯ）、ＳＴＥＰ１０に進む。接続先の詳細情報ＩＤ（１）が設定されている場合は（ＹＥＳ）、詳細情報データベースから接続先の詳細情報ＩＤ（１）に対応する詳細情報項目を取得してメモリに記憶する（ＳＴＥＰ５）。同時に取得した施設名称を接続先ボタン１のボタン名称の文字列として設定する（ＳＴＥＰ６）。
【００５０】
また、接続先の詳細情報ＩＤ（２）が設定されているかを当該ＩＤが０か否かにより判定する（ＳＴＥＰ７）。当該ＩＤが０の場合は（ＮＯ）、ＳＴＥＰ１０に進む。接続先の詳細情報ＩＤ（２）が設定されている場合は（ＹＥＳ）、詳細情報記憶部３２から接続先の詳細情報ＩＤ（２）に対応する詳細情報項目を取得してメモリに記憶する（ＳＴＥＰ８）。同時に取得した施設名称を接続先ボタン２のボタン名称の文字列として設定する（ＳＴＥＰ９）。
【００５１】
ここで、図２において「安土城跡」の場合は、詳細情報の項目の接続先詳細情報ＩＤ（１）に４、詳細情報項目の接続先の詳細情報ＩＤ（２）に５が設定されている。詳細情報ＩＤを４として、詳細情報項目の施設名称を取得すると「本能寺」が取得できるため、図４（ａ）に示すように、接続先ボタン１のボタン名称は「本能寺」となり、同様に詳細情報ＩＤを５として、詳細情報項目の施設名称を取得すると「琵琶湖」が取得できるため、接続先ボタン２のボタン名称は「琵琶湖」になる。
【００５２】
次に、詳細情報表示制御部３５は、取得した詳細情報の項目を表示部７に画面表示し（ＳＴＥＰ１０）、接続先ボタン１があれば当該ボタンに接続先１の名称を表示し（ＳＴＥＰ１１）、接続先ボタン２があれば当該ボタンに接続先２の名称を表示し（ＳＴＥＰ１２）、処理を終了する（ＥＮＤ）。なお、接続先ボタン１及び２が押下され、他の施設に接続する場合には、これを接続受付部３６が受付け、これを他施設詳細表示制御部３７へ入力することで、他施設詳細表示制御部３７が上記と同様の処理を実行することにより、図４（ｂ）又は（ｃ）に示した画面表示が可能となる。
【００５３】
［７．実施形態の効果］
以上のような本実施形態によれば、詳細情報記憶部３２において、施設の詳細情報に、当該施設に関連する他の施設の詳細情報への接続情報を含むようにし、詳細情報表示制御部３５によって当該施設の詳細情報の表示の際に、接続受付部３６により他の施設の詳細情報への接続を受付けることで、検索した施設の詳細情報に関連する他の施設の詳細情報へ容易に遷移することができるようになる。すなわち、従来の施設検索では階層化されたデータにおいては、ユーザがある施設の詳細情報を閲覧した場合に、当該詳細情報に含まれる関連施設の詳細情報を閲覧したいと考えた場合、当該施設の詳細情報は階層データの最下層に位置するため、他の関連施設の詳細情報に移動するには、階層を一番上の層から再度辿る必要があったが、本発明では、最下層である当該施設の詳細情報から最下層の他の施設の詳細情報に接続することができる。
【００５４】
また、当該施設の関連施設として、当該施設の説明文に登場する施設を設定することにより、観光スポット等において、ユーザが説明文を参照して経路を決定する場合や、説明文から歴史上の関連施設を認識し経由地や目的地とした場合も想定され、このような状況に対応することが可能となる。
【００５５】
当該施設に関連する施設の名称を、表示画面上に他の選択項目、すなわち、接続先ボタンとして表示することによって、ユーザが他の施設の詳細情報の閲覧を希望した場合に、その詳細情報への接続をスムースにできる。
【００５６】
また、他の施設の詳細情報表示画面に、当該他の施設を目的地又は経由地とするボタンが表示され、他施設目的地受付部３８又は他施設経由地受付部３９が設けられることにより、ユーザがある施設の詳細情報に関連した他の施設の詳細情報を閲覧した際に、他の施設の詳細情報に興味を持ち、その他の施設を目的地に設定したいと考えた場合、または、ある施設を目的地に、その他の施設をその目的地に至るまでの経由地に設定したいと考えた場合に、再度施設検索をやり直すことなく、そのままその他の施設を目的地又は経由地とすることができるのでユーザが所望の操作を迂遠な処理を踏むことなくでき利便性が高い。
【００５７】
［８．他の実施形態］
本発明は、上記実施形態で説明した態様に限られるものではなく、例えば、次のような実施態様も包含するものである。例えば、上記実施形態において、詳細情報表示制御部３５においては、他の施設名称表示を接続先ボタン１または２を設け、そこに文字列を表すこととしていたが、本発明はこのような場合に限られない。例えば、他の施設名称が当該施設の詳細情報の中の説明文章中に表れるような場合には、そこを太字や斜体等、字体を変更したり下線を引くなどして、強調表示し、当該強調表示箇所を選択することにより、他の施設の詳細情報へ接続されるようにしてもよい。
【００５８】
以上のような態様では、詳細情報において他の施設を指標する用語を強調して表示し、当該強調された他の施設を指標する用語の選択により他の施設の詳細情報への接続を受付けることにより、当該施設の説明文等に記載された他の施設名称をカーソル移動して選択することにより、他の施設の詳細情報へダイレクトに接続することができるようになり、シンプルで使い勝手の良いユーザインタフェースを提供することができる。
【図面の簡単な説明】
【００５９】
【図１】本発明の実施形態の構成を示す機能ブロック図。
【図２】本発明の実施形態におけるカテゴリ検索のデータ構成例。
【図３】本発明の実施形態におけるカテゴリ検索の画面階層構成例。
【図４】本発明の実施形態におけるカテゴリ検索の地点詳細情報を表示した画面例。
【図５】本発明の実施形態における処理手順を例示するフローチャート。
【図６】従来のナビゲーション装置におけるカテゴリ検索の画面表示例。
【図７】従来のナビゲーション装置におけるカテゴリ検索の地点詳細情報を表示した画面例。
【図８】従来のナビゲーション装置におけるカテゴリ検索の画面階層構成例。
【符号の説明】
【００６０】
１…ＦＭ多重受信及び処理部
２…ビーコン受信及び処理部
３…制御部（メインＣＰＵ及びその周辺回路）
３０…ナビゲーション部
３１…施設情報記憶部
３２…詳細情報記憶部
３３…入力受付部
３４…施設検索部
３５…詳細情報表示制御部
３６…接続受付部
３７…他詳細情報表示制御部
３８…他施設経由地受付部
３９…他施設目的地受付部
４…ダイナミックＲＡＭ（ＤＲＡＭ）
５…スタティックＲＡＭ（ＳＲＡＭ）
６…ＲＯＭ
７…表示部
８…ビデオＲＡＭ（ＶＲＡＭ）
９…ＴＶ受信及び処理部
１０…車両情報取得部
１１…道路地図データ・検索データ及び地図関連データの記憶装置
１２…入力部（タッチキー制御装置）
１３…測位部
Ｍ…メインメモリ
【図１】
2008250383.tif 000003
【図２】
2008250383.tif 000004
【図３】
2008250383.tif 000005
【図４】
2008250383.tif 000006
【図５】
2008250383.tif 000007
【図６】
2008250383.tif 000008
【図７】
2008250383.tif 000009
【図８】
2008250383.tif 000010